(57)【要約】【課題】フラッシュ光などの補助光を用いずに、雰囲気のある写真を自動で撮影できるカメラを提供すること。【解決手段】露光条件を自動で設定する機能を有するフィルム装填式カメラにおいて、下の式（１）でＬｓとして定義されるシステム感度が特定の値以下となる感度のフィルムが装填された場合のみ、測光値に対して＋1.5ＥＶ以上の露出補正を行う露光制御機能を有することを特徴とするカメラである。  式（１）：Ｌｓ＝５−ｌｏｇ２（Ｓ／３．１２５）−ｌｏｇ２Ｔ０＋２・ｌｏｇ２Ｆ０  この式（１）にて、Ｓは、装填されたフィルムのＩＳＯ感度の算数表現、Ｆ０は、前記カメラの開放絞りのＦナンバー、Ｔ０は、前記カメラのシャッター開口時間に上限値が設けられている場合にはその上限時間[s]、上限値が設けられていない場合には１／３０[s]。【選択図】図９
2005250433.tif 000002
【特許請求の範囲】
【請求項１】
露光条件を自動で設定する機能を有するフィルム装填式カメラにおいて、
下の式（１）でＬｓとして定義されるシステム感度が特定の値以下となる感度のフィルムが装填された場合のみ、測光値に対して＋1.5ＥＶ以上の露出補正を行う露光制御機能を有すること、
を特徴とするカメラ。
式（１）：Ｌｓ＝５−ｌｏｇ２（Ｓ／３．１２５）−ｌｏｇ２Ｔ０＋２・ｌｏｇ２Ｆ０
この式（１）にて、Ｓは、装填されたフィルムのＩＳＯ感度の算数表現、Ｆ０は、前記カメラの開放絞りのＦナンバー、Ｔ０は、前記カメラのシャッター開口時間に上限値が設けられている場合にはその上限時間[s]、上限値が設けられていない場合には１／３０[s]。
【請求項２】
前記システム感度Ｌｓが４以下となる感度のフィルムが装填された場合のみ、前記露出補正を行う露光制御機構を有すること、
を特徴とする請求項１に記載のカメラ。
【請求項３】
前記露光制御においてシャッターの開口時間がある値以上とならないような上限値を設けたことを特徴とする請求項１又は２に記載のカメラ。
【請求項４】
露光条件を自動で設定する機能を有するフィルム装填式カメラにおいて、
下の式（２）でＬｓとして定義されるシステム感度が特定の値以下となる感度のフィルムが装填され、かつ、測光値が特定の値以下である場合のみ、測光値に対して＋1.5ＥＶ以上の露出補正を行う露光制御機能を有すること、
を特徴とするカメラ。
式（２）：Ｌｓ＝５−ｌｏｇ２（Ｓ／３．１２５）−ｌｏｇ２Ｔ０＋２・ｌｏｇ２Ｆ０
この式（２）にて、Ｓは、装填されたフィルムのＩＳＯ感度の算数表現、Ｆ０は、前記カメラの開放絞りのＦナンバー、Ｔ０は、前記カメラのシャッター開口時間に上限値が設けられている場合にはその上限時間[s]、上限値が設けられていない場合には１／３０[s]。
【請求項５】
前記システム感度Ｌｓが４以下を実現できるフィルムが装填された場合のみ、前記露出補正を行う露光制御機構を有すること、
を特徴とする請求項４に記載のカメラ。
【請求項６】
前記露光制御においてシャッターの開口時間がある値以上とならないような上限値を設けたことを特徴とする請求項４又は５に記載のカメラ。
【請求項７】
前記露光制御を行った場合、補助光が発光しないことを特徴とする請求項１〜６のいずれかに記載のカメラ。
【発明の詳細な説明】
【技術分野】
【０００１】
本発明は、自動で露光条件を設定する機能を有するフィルム装填式のカメラに関するものである。
【背景技術】
【０００２】
フィルムを装填するだけで、自動で露光条件を設定し、シャッターを押すだけで適切な写真が撮影できる、全自動のコンパクトカメラが普及している。このタイプのカメラは、露光制御だけでなく、フォーカス制御や補助光の制御も自動で行い、誰でも電源を入れてシャッターを切るだけで撮影が可能である。室内、夜間等、被写体が暗いシーンにおいても、内蔵フラッシュの自動発光により、主要被写体に対しては適切な露光が行われるような機能を有している。
【特許文献１】特開平５−３４７５４号公報
【発明の開示】
【発明が解決しようとする課題】
【０００３】
フラッシュ光はこのように、環境を選ばずに撮影できる利便性を有しているが、
・背景までフラッシュ光が届かず、主要被写体に対して暗く沈んだ描写となってしまう。
・主要被写体は、その場には存在しない光で撮影されており、人工的な印象を与える。
等の理由により、その場の雰囲気が感じられない写真となってしまっている。
【０００４】
フラッシュを光らせずに撮影可能なモードを有するカメラも存在するが、そのような撮影を行うと、
・感度不足により、長時間露光となり、手ぶれが発生する。
・人物がアンダーになってしまう。
・電球下で撮影すると写真の色味が黄色っぽくなる。
・電源を入れるたびにフラッシュ非発光の設定が必要。
などの欠点を有していた。
【０００５】
特開平５−３４７５４号公報（特許文献１）には、被写体が特定輝度値以下の場合にフィルム感度の設定を低感度にするという発明が開示されているが、低感度のフィルムを装填するとシステム感度が低くなり手ブレの発生頻度が高くなるという問題があり、手軽に撮影を楽しみたいコンパクトカメラのユーザに対しては不便を強いていた。
【０００６】
そこで本発明は、フラッシュ光などの補助光を用いずに、前述のような欠点が発生せず、雰囲気のある写真を自動で撮影できるカメラを提供することが目的である。
【課題を解決するための手段】
【０００７】
すなわち、本発明に係るカメラは、露光条件を自動で設定する機能を有するフィルム装填式カメラにおいて、下の式（１）でＬｓとして定義されるシステム感度が特定の値以下となる感度のフィルムが装填された場合のみ、測光値に対して＋1.5ＥＶ以上の露出補正を行う露光制御機能を有することを特徴とする。
【０００８】
式（１）：Ｌｓ＝５−ｌｏｇ２（Ｓ／３．１２５）−ｌｏｇ２Ｔ０＋２・ｌｏｇ２Ｆ０
この式（１）にて、Ｓは、装填されたフィルムのＩＳＯ感度の算数表現、Ｆ０は、前記カメラの開放絞りのＦナンバー、Ｔ０は、前記カメラのシャッター開口時間に上限値が設けられている場合にはその上限時間[s]、上限値が設けられていない場合には１／３０[s]。
【０００９】
また本発明に係るカメラは、前記システム感度Ｌｓが４以下となる感度のフィルムが装填された場合のみ、前記露出補正を行う露光制御機構を有することを特徴とする。
【００１０】
また本発明に係るカメラは、前記露光制御においてシャッターの開口時間がある値以上とならないような上限値を設けたことを特徴とする。
【００１１】
また本発明に係るカメラは、露光条件を自動で設定する機能を有するフィルム装填式カメラにおいて、下の式（２）でＬｓとして定義されるシステム感度が特定の値以下となる感度のフィルムが装填され、かつ、測光値が特定の値以下である場合のみ、測光値に対して＋1.5ＥＶ以上の露出補正を行う露光制御機能を有することを特徴とする。
【００１２】
式（２）：Ｌｓ＝５−ｌｏｇ２（Ｓ／３．１２５）−ｌｏｇ２Ｔ０＋２・ｌｏｇ２Ｆ０
この式（２）にて、Ｓは、装填されたフィルムのＩＳＯ感度の算数表現、Ｆ０は、前記カメラの開放絞りのＦナンバー、Ｔ０は、前記カメラのシャッター開口時間に上限値が設けられている場合にはその上限時間[s]、上限値が設けられていない場合には１／３０[s]。
【００１３】
また本発明に係るカメラは、前記システム感度Ｌｓが４以下を実現できるフィルムが装填された場合のみ、前記露出補正を行う露光制御機構を有することを特徴とする。
【００１４】
また本発明に係るカメラは、前記露光制御においてシャッターの開口時間がある値以上とならないような上限値を設けたことを特徴とする。
【００１５】
また本発明に係るカメラは、前記露光制御を行った場合、補助光が発光しないことを特徴とする。
【発明の効果】
【００１６】
本発明によれば、特に知識のない撮影者でも、フラッシュ光などの補助光を用いずに、室内や夕夜景においても雰囲気のある写真を撮影できるカメラを提供することができる。
【発明を実施するための最良の形態】
【００１７】
以下、添付図面を参照して本発明の実施の形態を詳細に説明する。なお、図面の説明において同一の要素には同一の符号を付し、重複する説明を省略する。また、本発明はこの実施形態に限定されるものではない。
（第一実施形態）
図１は本発明の第一実施形態に係るカメラの正面側の外観を示す斜視図であり、図２は実施形態に係るカメラの背面側の外観を示す斜視図である。
【００１８】
図１に示すように、本実施形態に係るカメラは、１３５フィルムフォーマットのパトローネを装填するレンズシャッターカメラに適用したものである。このカメラは、カメラボディ１０の上端にレリーズボタン１１が設けられている。カメラボディ１０の前面の中央部には、撮影レンズ１２を組み込んだ鏡胴１３が取り付けられている。この鏡胴１３としては、例えば焦点距離２４ｍｍ・開放絞りＦ２．０の単焦点レンズおよびシャッターからなるオートフォーカス動作が可能な撮影レンズ鏡胴が用いられる。カメラボディ１０の上部には投光部１４、ファインダ１５、受光部１６及びストロボ１７が設けられている。投光部１４及び受光部１６は、例えば三角測量の原理に基づいて被写体までの距離を測定する測距部を構成している。
【００１９】
また、カメラボディ１０には、測光部１８が設けられている。測光部１８は、撮影視野内の外光輝度を測定する測光手段として機能する。この測光部１８は、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００２０】
カメラボディ１０の内部の撮影レンズ１２の光軸上には、シャッター１９が組み込まれている。シャッター１９は、フィルムに必要な露光量を与える絞りばね兼用セクターを備えて構成されている。このシャッター１９としては、例えば、開放時Ｆ２．０のＦ値を有し、かつ、制御範囲Ｅv ２〜１６[EV]の２枚羽根のレンズシャッターが用いられる。
【００２１】
図２に示すように、カメラボディ１０の背面側の上部には、ファインダ接眼窓４１及び警告発光部４２が設けられている。警告発光部４２は、例えば赤緑の２色式発光素子を有するものが用いられる。また、ファインダ接眼窓４１及び警告発光部４２の下方には、裏蓋４３が設けられている。裏蓋４３を開くことにより、カメラボディ１０内にフィルムの装填が行われる。裏蓋４３の側方には、電池蓋４４が設けられている。電池蓋４４を開くことにより、カメラボディ１０内にバッテリの装填が行われる。
【００２２】
裏蓋４３には、メインスイッチ４５、モードスイッチ４６、デートスイッチ４７及び表示部５０が設けられている。メインスイッチ４５は、カメラ全体のオンオフを切り替えるスイッチである。モードスイッチ４６は、カメラの撮影モードを切り替えるスイッチである。デートスイッチ４７は、日付等の設定、修正などに用いられるスイッチである。表示部５０は、カメラの撮影モード、日付、フィルム残りコマ数などを表示する表示手段である。この表示部５０としては、例えばＬＣＤが用いられる。
【００２３】
図３に表示部５０の拡大図を示す。
【００２４】
図３に示すように、表示部５０には、例えば、撮影モード表示部５１、デート表示部５２及び撮影枚数表示部５３が設けられている。撮影モード表示部５１は、撮影モードを表示するものであり、オート撮影マーク５１ａ、ストロボ撮影マーク５１ｂ、ストロボ禁止マーク５１ｃ及びナチュラル撮影マーク５１ｄが設定されている。デート表示部５２は、日付などを表示するものである。撮影枚数表示部５３は、フィルムの撮影残りコマ数を表するものである。
【００２５】
なお、図３は、表示部５０におけるマーク等を全て表示状態とした場合を示したものである。カメラ使用時には、撮影モード、日付及びフィルム枚数などに応じた表示が行われる。
【００２６】
図４は、本実施形態に係るカメラの電気的構成の概略を示すブロック図である。
【００２７】
図４に示すように、本実施形態に係るカメラには、制御部２０が設けられている。制御部２０は、カメラ全体の制御を行うものであり、例えばＣＰＵ、ＲＯＭ、ＲＡＭ、入力信号回路、出力信号回路などを備えて構成されている。制御部２０のＲＯＭには、制御処理及び演算処理のためのプログラムが記憶されている。また、制御部２０のＲＡＭには、制御処理及び演算処理の際に用いる各種データが記憶されている。
【００２８】
制御部２０には、表示部５０が接続されている。制御部２０から出力される表示制御信号に従い、表示部５０がカメラの撮影モード、日付、フィルム残りコマ数などを表示する。制御部２０には、メインスイッチ４５、モードスイッチ４６及びデートスイッチ４７が接続されている。制御部２０は、メインスイッチ４５の入力を受けてカメラの電源をオンオフさせる。制御部２０は、モードスイッチ４６の入力を受けて撮影モードを設定し又は変更する。また、制御部２０は、デートスイッチ４７の入力を受けて日付等の設定又は変更を行う。
【００２９】
制御部２０には、投光部１４及び受光部１６が接続されている。制御部２０は、投光部１４に発光制御信号を出力して投光制御を行い、その投光された光の反射光を受光部１６で受光させ、その受光信号に基づいて被写体までの距離を検出する。また、制御部２０には、ストロボ１７が接続されている。制御部２０は、所定の条件下でストロボ１７に発光制御信号を出力し、ストロボ発光させる。
【００３０】
制御部２０には、測光部１８が接続されている。制御部２０は、測光部１８の検出信号を入力し、外光輝度をＡＰＥＸ(Additive System of Photographic Exposure)単位であるＢＶ値に変換する。また、制御部２０には、シャッター１９が接続されている。制御部２０は、レリーズボタン１１が押された際に、露光制御に応じてシャッター１９を開口動作させる。
【００３１】
制御部２０には、バッテリ６１が接続されている。バッテリ６１は、カメラ各部に電力供給を行う電源である。制御部２０は、バッテリ６１が撮影動作などに必要な蓄電量を有しているか否かを判断する。制御部２０には、外部メモリ６２が接続されている。外部メモリ６２は、各種の制御パラメータ等を記憶している。この外部メモリ６２としては、例えばＥＥＰＲＯＭが用いられる。
【００３２】
制御部２０には、レリーズスイッチ６３が接続されている。レリーズスイッチ６３は、レリーズボタン１１が押されることにより、切り替えられるスイッチである。レリーズスイッチ６３の入力を受けて制御部２０はレリーズボタン１１が押されたと判断する。また、制御部２０には、デート写し込み部６４が接続されている。デート写し込み部６４は、フィルムに日付等を写し込むための写し込み機構である。
【００３３】
さらに、制御部２０には、フィルム感度検知部６５が接続されている。フィルム感度検知部６５は、カメラボディ１０に装填されたフィルムのフィルム感度を検知するフィルム感度検出手段である。例えば、フィルム感度検知部６５は、フィルムを収容するパトローネなどに表示されるＣＡＳコードを読み取ることにより、フィルム感度を検知する。すなわち、フィルム感度検知部６５は、フィルムパトローネ側面に市松模様に印刷されたＣＡＳコードのうち１ステップ単位の感度値を表す上位３ビットを読み取る４本の導通端子(内１本はコモン端子)をフィルムパトローネ装填室内に有し、該端子からの導通信号により、カメラに内蔵されるCPUによってフィルム感度を認識・設定するフィルム感度設定機構を有する。CASコードが存在しないもしくは読み取りエラーの場合には、感度１００として感度設定される。そして、フィルム感度は、ＩＳＯ（International Organization for Standardization）感度として検知される。
【００３４】
次に、カメラのシステム感度について説明する。
【００３５】
本発明において、シーンの明るさを、APEX方式に準拠してL値にて表す。これは、ISO感度100の撮影用感光材料を用いたときに適正露光を与える開口時間値Tvとレンズの開口値Avを用いて下記のように定義される。
【００３６】
L=Tv+Av
ここで、開口時間値Tvは、Tv=−log2(シャッター開口時間[s])にて、開口値Avはレンズの絞りのＦナンバーを用いてAv=2log2(Ｆナンバー)にてそれぞれ定義される。
【００３７】
また、システム感度Ｌｓとは、手ぶれを発生させずに撮影可能な明るさの下限Ｌ値として定義しており、該カメラの上限シャッター開口時間値Ｔ0およびレンズの開放絞りのＦ値Ｆ0、装填された感光材料のＩＳＯ感度（算数表現）Ｓを用いて、
Ｌｓ＝５−ｌｏｇ２（Ｓ／３．１２５）−ｌｏｇ２Ｔ０＋２・ｌｏｇ２Ｆ０
で表される。
【００３８】
ここで、Ｆ０はカメラレンズの開放絞りのＦナンバーである。上限シャッター開口時間値Ｔ0はシャッターの開口時間がある値以上とならないような上限値が設けられている場合はその値（この時間を手ぶれ規制シャッター速度とも呼ぶ）を用い、手ぶれ規制シャッター速度が設けられていない場合には、この時間を1/30[s]とみなして計算するものとする。なお、上の式中の定数5は、ＩＳＯ感度１００値の感光材料に対応するSv値（APEX法による感度表現）である。
【００３９】
本実施形態に係るカメラにおいて、手ぶれ規制シャッター速度を設けることが好ましい。一般的には135フォーマット換算の（1/焦点距離[mm]）[s]よりも短時間であれば手ぶれはほとんど発生しない、と言われており、それに準じるのも一つの方法である。シャッター開口時間は、短時間であるほど手ぶれ発生確率は下げられるので、必要なシステム感度を勘案してなるべく短時間なシャッター開口時間に設定することが好ましい。
【００４０】
この定義によれば、シーンの明るさがシステム感度以上であれば適正露光を行うことが可能であり、システム感度以下であれば適正露光を行うことはできず、露出アンダーとなってしまう。
【００４１】
フィルムの感度は、フィルムのパトローネに記載されている感度情報をカメラが読み取ることにより取得することができる。１３５フィルムフォーマットではCASコードと呼ばれるフィルム感度コードが、パトローネの電気接点の導通可否の５ビットで表示されており、カメラ側でその情報を読み取ることができる。
【００４２】
「特定のシステム感度が実現できる」とは、カメラで制御可能な開放絞り値、手ぶれ規制シャッター速度、装填されたフィルムの感度により計算されるシステム感度がある値以下であることを意味する。すなわち、カメラ側で閾値が用意されており、その値以下のシステム感度となった場合に、「特定のシステム感度が実現できる」ことになる。
【００４３】
本発明の露光制御を行うシステム感度Ｌｓはいかなる値でも良いが、Ｌｓ≦４が好ましく、さらに好ましくはＬｓ≦３であることである。
【００４４】
次に、カメラの露出補正について説明する。
【００４５】
本発明の目的の一つである室内の撮影においては、８０％以上の場合、主要被写体は室内照明により照らされた人物である。このような環境において、カメラの測光、特にコンパクトカメラに多用されている中央重点平均測光の測光値により適正露光を行うと主要被写体がアンダーとなり、暗く沈んだ写真となってしまう。
【００４６】
ここで、測光値とは、シーンの明るさをカメラの測光手段によって測光したものであり、APEX法に従い輝度値Bvとして表す(L値はBv+5となる)。すなわち、「測光値により適正露光」とは、測光値をBv、フィルムの感度値をSvとしたときに、Ev(=Tv+Av)=Bv+Svを満たす条件で露光することを言う。
【００４７】
上述した問題が生ずる原因は、下記の要因によることを見出した。
【００４８】
１）カメラの測光値に対して、主要被写体の明るさは、１〜３ＥＶ程度暗い。
【００４９】
２）カメラで測光に用いた分光感度に対して、青色成分が１〜２ＥＶ程度少ない光源が存在する。
【００５０】
この１）については、室内照明は天井からの照明が中心であり、水平面照度および、壁際の照度を基準に設計されており、部屋の中心付近における鉛直面の照度はあまり考慮されていない。発明者らの調査によると、壁際の照度に対して、中心付近の鉛直面の照度は、１〜３ＥＶ程度暗くなっている。カメラの測光値、特に中央重点平均測光による測光値は、壁面の照度による影響が大きく、カメラの測光値のまま露光制御を行うと、主要被写体は１〜３ＥＶ程度アンダー（露出不足）となる。
【００５１】
また、２）については、タングステンや電球色の蛍光灯など、色温度の低い照明下で発生する。カメラの測光は、図５に示すように５００〜６００ｎｍ付近の分光感度を有する測光センサ（ＣｄＳまたは赤外カットフィルタ付きのシリコンフォトダイオード(ＳＰＤ)等が広く用いられる）により行われるが、代表的なタングステン光であるCIE 標準光源A(相関色温度 約2850K)のエネルギー分布は図６の実線に示すように、波長に対して傾きを持っており、５００〜６００ｎｍの領域に対して、４００〜５００ｎｍの領域のエネルギーは少ない。カラーネガフィルムの代表的分光感度は図７の通りである。
【００５２】
∫Si(λ)R(λ)E(λ)dλ
ここで、λは波長[nm]、Si(λ)は波長λにおけるネガフィルムの分光感度(赤感層、緑感層、青感層それぞれをi=0、1、2とする)、R(λ)は波長λにおける物体の反射率、E(λ)は波長λの光源の分光エネルギーである。
【００５３】
この式で計算される積分値がカラーネガフィルムへの露光量となるが、一般的なデーライト(相関色温度 約5000K)においては測光センサの分光感度に近い緑感層と、青感層の露光量は同程度であるが、タングステン光の場合は、緑感層に対して青感層が１〜２ＥＶ少ない露光量になってしまう（一般的な測光センサは人間の目の分光感度、すなわち標準比視感度に準じた分光感度で設計されるが、このスペクトルは、実質的に緑光域であるため、このような現象が起こる）。
【００５４】
例えば、図６に示した２種の光源（CIE標準光源Ａ及び標準光源Ｃ）を、図５に示した分光感度の測光センサで測光値が同じになるよう光源の強度（照度）を調整して図７に示した分光感度を有するデーライト用カラーネガフィルムに感光させたと仮定すると、理論上、デーライトバランスに近い分光分布を有するＣ光源に感光させた場合と比べ、色温度の低いＡ光源の場合は、緑感層はほとんど露光量が変わらない（△０．０２ＥＶ減少）ものの、青感層の露光量は１．５６ＥＶも小さくなる（一方、赤感層は０．８８ＥＶ露光量が大きくなる）。
【００５５】
以上のように、カメラの測光値に対して、主要被写体は暗い場合が多く、本発明では、測光値に対して＋１．５ＥＶ以上の露出補正を行うことによりこの問題を解決している。ここで、「+ΔEv[EV]の露出補正」とは、Ev =Bv+Sv−ΔEvとなるような補正である。露出補正幅は、＋１．５ＥＶは必要な最低限の補正量であり、好ましくは+２ＥＶ以上、さらに好ましくは+３ＥＶ以上の露出補正が好ましい。
【００５６】
露出補正の大きさは、測光値以外の情報を用いてさらに補正を加えても良い。例えば、色温度を検知するセンサを使用できる場合は、測定された色温度により、露出補正幅に修正を行うことができる。例えば、３０００Ｋであれば＋３ＥＶ、５０００Ｋであれば＋２ＥＶ、とすることも好ましい方法の一つである。
【００５７】
露出補正の方法は、結果として露光量が増えるのであればいかなる方法でも良い。測光値に対して露出補正値を加えて、露光制御の演算回路に渡す方法でも良いし、予め、本露光制御用のプログラムを測光値に対するテーブルとして定義しておいても良い。また、所望の露出補正幅分、フィルム感度を減じたものを用いて計算する方法でも良い。
【００５８】
本発明の露出補正において、被写体の明るさにより、露出補正の有無、露出補正の程度を変更することが好ましい。露出補正の目的は、屋内などにおいて人工照明による影響を補正することであり、明らかに人工照明ではない環境下では露出補正は必要ない。明らかに日中屋外と判定される明るさでは露出補正を行わず、夜間または室内の可能性が高い明るさでは露出補正を行う、という方法は、好ましい露光制御法の一つである。例えばこの基準とする明るさをＬ値で１０と置くことができる（この明るさは測光値ではＢｖ＝５に相当）。
【００５９】
また、露出制御をＬ値１０で急激に切り替えるのでなく、明るさに対して露出補正量に傾斜を持たせる切り替え方でも良い。
【００６０】
ただし、日中屋外においても、シーンによっては逆光となり、主要被写体が相対的に暗くなる場合がある。日中屋外では、フラッシュ発光による雰囲気感の喪失の程度は少ないので、フラッシュを発光させて主要被写体を描写することが好ましい。
【００６１】
夜間または室内において、本発明の露出補正を行う領域では、フラッシュ光は自動では発光しないことが好ましい。フラッシュ光を発光させないことにより、その場の光源の雰囲気をそのまま記録することができ、より雰囲気が感じられる写真になるとともに、撮影者、被写体ともに、カメラを過度に意識することなく、自然な写真撮影が可能になる。
【００６２】
ただし、システム感度以下の領域においては、撮影者に露出不足の警告信号を発し、補助光の使用を促す、という機能の搭載が好ましい。
【００６３】
次に、本実施形態に係るカメラの動作について説明する。
【００６４】
図８は本実施形態に係るカメラの自動撮影モードにおける制御処理を示すフローチャートである。
【００６５】
本実施形態に係るカメラは、露出設定およびフラッシュの発光に関して以下に記すような特徴的な動作をおこなうものである。
【００６６】
使用者がフィルムを装填し、電源を投入すると、自動モードでの撮影を行うことができる。
【００６７】
自動モードは電源投入時の初期動作モードであり、表示部５０には、「ＡＵＴＯ」のモード表示が行われる。この自動撮影モードの待機状態において、撮影者によってレリーズボタンが押下されると、装填されたフィルムの感度によって、図８に示す制御処理が行われる。
【００６８】
まず、Ｓ１０にてバッテリ６１の蓄電残量が所定値以上であるか否かが判断される。バッテリ６１の蓄電残量が所定値以上でないときには、電池無し表示などが行われ（Ｓ１２）、制御処理を終了する。一方、バッテリ６１の蓄電残量が所定値以上であるときには、Ｂｖ値の演算が行われる（Ｓ１４）。Ｂｖ値の演算処理は、測光部１８の検出信号をＢｖ値に変換することにより行われる。
【００６９】
そして、Ｓ１６に移行し、システム感度Ｌｓが３以下であるか否かが判断される。すなわち、フィルムの感度値Ｓｖが９以下であるか否かが判断される。例えば、装填されたフィルムのＩＳＯ感度が１６００（Ｓｖ９）であるとき、このカメラはシステム感度Ｌｓが３を満たす。従って、ＩＳＯ感度が１６００以上のフィルムが装填されたときには、システム感度Ｌｓが３以下であると判断される。ＩＳＯ感度が１６００未満のフィルムが装填されたときには、システム感度Ｌｓが３以下でないと判断される。
【００７０】
Ｓ１６にてシステム感度Ｌｓが３以下でないと判断されたときには、測距演算が行われる（Ｓ２０）。測距演算処理は、受光部１６の出力信号に基づいて被写体までの距離を算出する処理である。そして、Ｓ２２に移行し、露出演算が行われる。露出演算処理は、ＥＶ値を算出する処理であり、Ｅｖ＝Ｂｖ＋Ｓｖの演算式の実行により行われる。
【００７１】
そして、Ｓ２４に移行し、Ｅｖ値が１６以上であるか否かが判断される。Ｅｖ値が１６以上であると判断されたときには、Ｅｖ値として１６が設定され（Ｓ２６）、Ｓ２８に移行する。一方、Ｓ２４にてＥｖ値が１６以上でないと判断されたときには、そのままＳ２８に移行する。
【００７２】
Ｓ２８では、Ｅｖ値に基づいてＦ値及びシャッタ開口時間が演算される。この演算処理は、例えば、制御部２０又は外部メモリ６２に記憶される露出プログラム線図に基づいて行われる。そして、Ｓ３０に移行し、シャッタ開口時間が１／３０[ｓ]より長い時間であるか否かが判断される。シャッタ開口時間が１／３０[ｓ]より長い時間でない判断されたときには、Ｓ３４に移行する。一方、シャッタ開口時間が１／３０[ｓ]より長い時間である判断されたときには、シャッタ開口時間が１／３０[ｓ]に設定され（Ｓ３２）、Ｓ３４に移行する。
【００７３】
Ｓ３４では、ＡＦ駆動処理が行われる。ＡＦ駆動処理は、被写体までの距離に応じてフォーカスレンズを移動させる処理である。例えば、制御部２０からフォーカス駆動部（図示なし）に駆動制御信号が出力され、被写体までの距離にピントが合うようにフォーカスレンズが移動され、焦点調整が行われる。
【００７４】
そして、Ｓ３６に移行し、シャッター開口動作が行われ、所定条件下でストロボ発光（フラッシュ発光）が行われる。そして、Ｓ５８に移行する。
【００７５】
このように、所定のシステム感度を満たさないフィルムが装填されているときには、シャッターの制御範囲においてはシャッター開口時間が手ぶれ規制シャッター速度である１／３０[ｓ]以下となる条件で露出が適正となるような露光制御が行われる。すなわちEv(=Av+Tv)=Bv+Svである。フラッシュ（ストロボ）は、測光輝度値がBv 5 (=Ｌ値１０)以上かつ測距の結果が１０ｍ以遠である場合を除き、フラッシュによる露光量が適正となる条件で発光する。このときの動作は公知のモードであり、例えば、富士写真光機株式会社製コンパクトカメラ「フジフイルム シルヴィＦ２．８」の「ＡＵＴＯ」モードに相当する。ＩＳＯ８００のフィルムが装填されたときの露出制御の例を図９のΔEv-Bv図において破線にて例示する。
【００７６】
ところで、Ｓ１６にてシステム感度Ｌｓが３以下であると判断されたときには、Ｂｖ値が５未満であるか否かが判断される（Ｓ１８）。Ｂｖ値が５未満でないと判断されたときには、撮影環境が日中屋外であると認識され、Ｓ２０に移行する。一方、Ｓ１８にてＢｖ値が５未満であると判断されたときには、撮影環境が室内又は夕夜の屋外であると認識され、Ｓ４０に移行する。
【００７７】
Ｓ４０では、測距演算が行われる。測距演算処理は、受光部１６の出力信号に基づいて被写体までの距離を算出する処理である。そして、Ｓ４２に移行し、露出演算が行われる。露出演算処理は、Ｅｖ値を算出する処理であり、Ｅｖ＝Ｂｖ＋Ｓｖ−ΔＥｖの演算式の実行により行われる。ΔＥｖは、露出補正量であり、Ｂｖ値に基づいて設定される。例えば、図９の実線に示すように、Ｂｖ値とΔＥｖを対応付けた露出制御テーブルが予め設定され、この露出制御テーブルに基づいてΔＥｖが設定される。具体的には、Ｂｖ値が１〜５の場合、ΔＥｖは＋３に設定される。そして、設定されたΔＥｖを用いてＥｖ値が演算される。
【００７８】
そして、図８のＳ４４に移行し、Ｅｖ値に基づいてＦ値及びシャッタ開口時間が演算される。この演算処理は、例えば、図１０に示すような露出プログラム線図が制御部２０又は外部メモリ６２に予め記憶され、その露出プログラム線図に基づいて行われる。
【００７９】
そして、Ｓ４６に移行し、Ｂｖ値がシステム感度より小さいか否かが判断される。Ｂｖ値がシステム感度より小さくないと判断されたときには、Ｓ５０に移行する。一方、Ｂｖ値がシステム感度より小さいと判断されたときには、警告処理が行われる。警告処理は、露出アンダーを警告する処理であり、例えば、警告発光部４２を点滅させ、表示部５０の所定のマークを点滅させることにより行われる。
【００８０】
そして、Ｓ５０に移行し、シャッタ開口時間が１／３０[ｓ]より長い時間であるか否かが判断される。シャッタ開口時間が１／３０[ｓ]より長い時間でない判断されたときには、Ｓ５４に移行する。一方、シャッタ開口時間が１／３０[ｓ]より長い時間である判断されたときには、シャッタ開口時間が１／３０[ｓ]に設定され（Ｓ５２）、Ｓ５４に移行する。
【００８１】
Ｓ５４では、ＡＦ駆動処理が行われる。ＡＦ駆動処理は、被写体までの距離に応じてフォーカスレンズを移動させる処理である。例えば、制御部２０からフォーカス駆動部（図示なし）に駆動制御信号が出力され、被写体までの距離にピントが合うようにフォーカスレンズが移動され、焦点調整が行われる。そして、Ｓ５６に移行し、ストロボ発光することなく、シャッター開口動作が行われる。
【００８２】
このように、所定のシステム感度を満たすフィルムが装填されているときには、測光値がＢｖ５（＝Ｌ値１０）未満の場合、フラッシュは発光せず、＋３ＥＶの露出補正、すなわちEv=Bv+Sv−3の条件でアベイラブル光利用の撮影が行われる。ただし、シャッター開口時間が、手ブレ規制シャッター速度である１／３０[ｓ]より遅くならない露出値に設定される。従って、例えばＩＳＯ１６００のフィルムが装填されている状態で、測光値がBv 1(=Ｌ値６)以下である場合には、絞りがF2.0、シャッター開口時間が１／３０[ｓ]に固定される。また、測光値がシステム感度であるＬ値３未満(Bv<−2)である場合には、警告発光部４２の点滅および表示部５０の所定のアイコンの点滅により、フラッシュ発光モードにする操作を撮影者に促す。なお、この撮影モードにある時には、表示部５０では、ナチュラル撮影マーク５１ｄが表示される。
【００８３】
一方、Ｂｖ値が５以上のときには、シャッターの制御限界まで測光値に対して適正となる露出制御、すなわちEv(=Av+Tv)=Bv+Svとなる露出制御が行われる。ただし、シャッターの制御限界であるEv値を超える(この実施例のカメラではEv＞１６)となる場合には該制御限界のEv値として制御する。(本実施例のカメラではEv＝１６) 
そして、図８のＳ５８に移行し、レンズ戻し動作が行われる。このレンズ戻し動作は、フォーカスレンズを所定の待機位置に戻す処理である。例えば、制御部２０からフォーカス駆動部（図示なし）に駆動制御信号を出力することにより行われる。そして、フィルムコマ送りが行われ（Ｓ６０）、スタンバイ状態とされる（Ｓ６２）。
【００８４】
以上のように、システム感度が特定値以下となる感度のフィルムがカメラに装填された場合に、ストロボ発光せず、測光値に対して＋3Ｅｖの露出補正を行うことにより、被写体を自然な感じで撮影でき、雰囲気のある写真を自動的に撮影することができる。
【００８５】
例えば、室内での撮影では、ストロボ発光することなく撮影するため、被写体が人工的な印象とならない。また、電球照明により被写体が黄色っぽく撮影されることを防止できる。夜景などの撮影では、背景までフラッシュ光が届かず主要被写体に対して暗く沈んだ描写となってしまうことを防止できる。また、背景の輝度が高い場合に、人物がアンダーとなってしまうことを防止できる。
【００８６】
なお、この場合、露出補正量は、＋1.5Ｅｖ以上の露出補正であれば、＋3Ｅｖ以外の露出補正量であってもよい。
【００８７】
また、その他の撮影モードの場合について説明する。
【００８８】
本実施形態に係るカメラにおいて、フラッシュ強制発光モードの場合、上述した自動撮影モードと同一の露光プログラムであるが、測距情報に応じた露光量となるよう制御されてフラッシュが発光する。従って、例えばＩＳＯ感度１６００以上のフィルムが装填された場合、Bv 2 (=ＬＶ７)と測光されると、自動モードのときと同じく露出は露出補正量=＋３ＥＶの露光のままで、かつフラッシュはＩＳＯ１６００で適正となる強度での露光となる。
【００８９】
赤目防止モードの場合、露出およびフラッシュ光量は、フラッシュ強制発光モードのままで、フラッシュ発光時の赤目防止のために、シャッター開口以前に撮影時よりも弱い発光量で複数回プレ発光するモードである。
【００９０】
人物夜景フラッシュ撮影モードの場合、露出プログラムは、手ブレ規制を解除した以外は赤目防止モードと同じである。フラッシュ禁止モードの場合、自動モードに対し、いかなる時もフラッシュが発光しないように撮影が行われる。
（第二実施形態）
上述した第一実施形態に係るカメラに対し、次の点を変更してもよい。
【００９１】
前面に公知の色温度検出センサユニットを追加し、ＩＳＯ感度１６００以上の感度を有するフィルムが装填された時の自動モードの動作において、色温度が３８００Ｋ以上のときには露出補正量を＋２ＥＶ、３８００K未満である場合は同補正量を＋３ＥＶに設定することを特徴とする。
【００９２】
この態様においては、第一実施形態と比較すると、色温度が３８００Ｋ以上の場合にシャッター開口時間を速くすることが可能となり、手ブレや動体ブレの頻度がさらに減少する効果がある。
【図面の簡単な説明】
【００９３】
【図１】本発明の第一実施形態に係るカメラの外観斜視図である。
【図２】本発明の第一実施形態に係るカメラの外観斜視図である。
【図３】図１のカメラにおける表示部の説明図である。
【図４】図１のカメラの構成概要図である。
【図５】赤外線カットフィルタを装着したシリコンフォトダイオード測光センサの分光感度の例を示す。
【図６】タングステン光（実線；ＣＩＥ 標準光源A）およびデーライト光に準じた光源（点線；ＣＩＥ  標準光源C）の分光エネルギー分布を示す。
【図７】カラーネガフィルムの代表的分光感度を示す。（実線：青感層、点線：緑感層、一点鎖線：赤感層）
【図８】本発明における実施例１のカメラの自動モードにおけるレリーズボタン押下から撮影完了するまでのフローチャートの一例を示した図である。
【図９】実線が実施例１のカメラへＩＳＯ感度１６００のフィルムが装填されたときの自動モードにおける露出制御、破線が同カメラへＩＳＯ感度８００のフィルムが装填されたときの自動モードにおける露出制御を示すΔEv-Bv図であり、横軸は中央重点測光手段による測光値(Bv値。L値を併記)、縦軸は露出補正量ΔEv[EV]である。
【図１０】本発明における実施例１のカメラへＩＳＯ感度１６００のフィルムが装填されたときの自動モードにおける、プログラム線図である。
【符号の説明】
【００９４】
１０…カメラボディ、１１…レリーズボタン、１３…鏡胴、１４…投光部、１６…受光部、１７…ストロボ、１８…測光部、１９…シャッタ、２０…制御部、６５…フィルム感度検知部。
【図１】
2005250433.tif 000003
【図２】
2005250433.tif 000004
【図３】
2005250433.tif 000005
【図４】
2005250433.tif 000006
【図５】
2005250433.tif 000007
【図６】
2005250433.tif 000008
【図７】
2005250433.tif 000009
【図８】
2005250433.tif 000010
【図９】
2005250433.tif 000011
【図１０】
2005250433.tif 000012